(57)【要約】      （修正有）【課題】既設機器を新しい機器に交換する際、外形がコンパクトになってもスムーズな電気機器の交換を可能とする互換板セットを提供する。【解決手段】既設機器を交換機器に交換する際に使用する互換板の構成でコの字形に形成した床互換板の上面には交換機器の床固定穴に対応した間隔の縦長穴を複数設け、下面には、既設機器のアングル固定穴に対応した横長穴を上面の縦長穴の長さ以下の間隔で複数個設け、各々をボルト等で締結することで、交換機器を上方に移動させ既設機器の床面からの接続穴高さＡより、床互換板の高さＣを加えた交換機器の接続穴の高さＢ＋Ｃとし、垂直パネルへの交換機器の前互換板の位置を合わせ、Ａ＜Ｂ＋Ｃの関係にすることで電線の接続を可能とし、多種の既設機器に対する多種の交換機器が同じ床互換板で対応可能とし、交換作業を容易にする。【選択図】図６
2019004676.tif 000002
【特許請求の範囲】
【請求項１】
既設機器（１３）を交換機器（３）に交換する際に使用する互換板の構成でコの字形に形成した床互換板（４）の上面には交換機器（３）の床固定穴（２０）に対応した間隔を有する縦長穴（５）を複数設け、下面には、既設機器（１３）のアングル固定穴（１８）に対応した横長穴（６）を上面の縦長穴（５）の長さ（Ｇ）以下の間隔（Ｈ）で複数個設け、固定穴前後の差を調整し各々をボルト等で締結することで、床互換板（４）の曲部（１４）高さ分、交換機器を上方に移動させ既設機器（１３）のアングル１９からの接続穴（１１）への高さ（Ａ）に対し、床互換板（４）の高さ（Ｃ）に交換機器（３）の接続穴（１１）の高さを加え（Ｂ＋Ｃ）、垂直パネル（２）への交換機器（３）の前互換板（１）の高さ位置を合わせ、Ａ＜Ｂ＋Ｃの関係にすることで、電線（７）の接続を可能とし、多種の既設機器（１３）に対する多種の交換機器（３）を同じ床互換板（４）で対応させ、交換作業を容易にした互換板セット
【請求項２】
上記［請求項１］の基本構成において、床互換板（４）の構成を２分割もしくは、３分割にすることにより、一体構成した場合より低い高さの床互換板（４）の製作を可能とし、また３分割では、中間板の高さを変更することで、多種の高さの床互換板（４）の構成を可能とし、かつ部品としての在庫時のスペース圧縮を可能とする床互換板（４）を含む互換板セット。
【発明の詳細な説明】
【技術分野】
【０００１】本発明は、箱体内に電気機器を収納する閉鎖配電盤（キュービクル）に係り、収納する電気機器の固定方法、交換方法の改良に関する。
【背景技術】
【０００２】従来例を［図１］で示すが、一般的に電気機器１３を箱体内に設置する際、パネル２で機器の前側を支え、後側は横方向に構成したアングル１９で固定するが、パネル２には前固定穴１６を設け、表面板１２と重ね合わせ、ボルト等で締結し、後側ではアングル固定穴１８に機器固定穴８を締結することにより、電気機器１３を固定し、上部からの電線７に接続されることで構成されている。【０００３】電気機器１３が老朽化した場合、新しい電気機器３に交換する必要が生じるが、［図２］（ｂ）に示すように、交換用電気機器３は、一般的に古い電気機器１３よりコンパクトに改良されており、かつ前互換板の使用で板厚分前に移動するため、そのまま交換すると、後側で支えていたアングル１９より機器固定穴２０が前に移動しているため届かず、また上部から配線されている電線７に対する高さも低くなるので届かず、アングル１９の位置を移動し、電線７も交換するしかないという問題が生じる。
【発明の開示】
【発明が解決しようとする課題】
【０００４】前側のパネル２と後側のアングル１９で固定した電気機器の交換で、交換する電気機器がコンパクトになってもスムーズな電気機器の交換を可能とする互換板セットが必要となる。
【課題を解決するための手段】
【０００５】交換用電気機器３の後方を支える位置にコの字形の床互換板４を構成し、コンパクトになり、かつ前互換板の板厚分足りなくなった後方の距離を補完すると同時に高さ方向に既設機器３の接続穴１１より上方に持ち上げることで、接続穴の位置の縦横の違いの補正も行い電線７を交換することなくそのまま接続させるものである。
【発明を実施するための最良の形態】
【０００６】コの字の後互換板４の上面には交換用電気機器３の床固定穴２０に対応した縦長穴５を複数設け、下面には、既設電気機器１３のアングル固定穴１８に対応した横長穴を、縦長穴の幅Ｇより小さいピッチＨで複数設けることにより、多種の既設電気機器１３に対する多種の交換電気機器３が同じ床互換板４による固定を可能としている。【０００７】既設電気機器１３の固定が、床のみである場合には、後互換板４を２組用意し、一方を前部に他の一方を後部に使用することにより、交換電気機器３の固定もまた可能となる。
【発明の効果】
【０００８】本発明は、以上説明したように構成されているので、以下に記載されるような効果を奏する。
【０００９】後互換板の上面の縦長穴５については、複数個の縦長穴を交互に組み合わせることで多数の交換機器の床固定穴に対応することが可能となりかつ長穴となっているので、縦方向の位置調整も可能となる。
【００１０】床互換板の下面の横長穴１８については、上面の縦長穴５の幅寸法Ｇより短いピッチＨで複数設けることにより、縦方向の位置の調整が自由になり、多種の既設機器１３に対応していたアングル固定穴１８に対応することが可能となる。
【００１１】発明の実施の形態を実施例にもとづき、図面を参照して説明する。
【００１２】［図２］で、（ａ）は、既設機器１３が垂直パネルとアングルで固定されている様子をあらわしており、（ｂ）は、コンパクトになった交換機器３をそのまま前互換板で固定しようとした場合に、前互換板の板厚もあり奥行き方向でアングル１９に届かず、また高さ方向で電線７に届かない状況をあらわしている。
【００１３】［図３］で、（ｂ）は、交換機器３の床に本案のコの字の床互換板４を配した状態を示しており、奥行き方向で足りなくなった分と高さ方向で低くなった分を床互換板４が補正することで、そのまま交換することができる状況をあらわしている。
【００１４】［図４］は、床互換板４の詳細状況を説明しており、上面には、交換機器の床固定穴２０の幅に対応した長さＧの縦長穴５が複数設けられており、多種の交換機器が対応でき、下面には、既設電気機器のアングル固定穴１８に対応した横長穴１８が、Ｇ以下のピッチＨで複数設けられて多種の既設機器１３に対応できる。
【００１５】［図５］（ａ）は、床互換板４を２分割して、より低い高さの床互換板が製作可能となるようになっており、（ｂ）は床互換板４を３分割して高さの調整が可能なように工夫されており、いずれも部品状態では効率的な在庫ができるようになっており、［請求項２］の説明用の図となっている
【００１６】［図６］は、本発明の全体構成を示すもので、交換機器３は、床互換板４により、後ろの床の固定が可能となり、上方に持ち上げることにより、電線７への接続を可能となり、前互換板１は、交換機器３が上方に上がった分上位置で垂直パネル２に固定されるようにされている。
【産業上の利用可能性】
【００１７】本発明は、箱体内に電気機器を収納する閉鎖配電盤（キュービクル）に係り、収納する電気機器の固定方法、交換方法に利用することができる。
【図面の簡単な説明】
【００１８】
【図１】従来の電気機器のパネルへの固定方法である
【図２】電気機器を交換する際、コンパクトになった交換電気機器をそのまま交換する場合に生じる問題点の説明である。
【図３】問題点の解決のため、本案で提案する後互換板を使用したものの説明である。
【図４】本案の床互換板の詳細構成である
【図５】本案の床互換板構成の変形例で、［請求項２］の詳細説明である
【図６】本案の互換板セットを適用した場合の全体構成である。
【符号の説明】
【００１９】１前互換板
２パネル
３交換機器
４床互換板
５縦長穴
６横長穴
７電線
８既設機器固定穴
９前互換板角穴
１０交換機器前固定穴
１１導体接続穴
１２機器表面板
１３既設機器
１４床互換板曲部
１５前互換板固定穴
１６前互換板用固定穴
１８アングル固定穴
１９アングル
２０交換機器床固定穴
【図１】
2019004676.tif 000003
【図２】
2019004676.tif 000004
【図３】
2019004676.tif 000005
【図４】
2019004676.tif 000006
【図５】
2019004676.tif 000007
【図６】
2019004676.tif 000008